(57)【要約】【課題】  すだれ吊り下げ具を雨戸の開閉の障害にならないようにサッシ上枠に取り付けること。及びその方法の実施に適した金具を提供すること。【解決手段】  金具（４）を、その装着用平板（１０）がサッシ上枠（１）の前面側部（３）との間にすだれ吊り下げ具の挟持用平板をこれら双方に接触して挿入できる程度の空隙（７）を確保してサッシ上枠に取り付け、次にこの金具にすだれ吊り下げ具を装着することにより課題を解決した。またこの方法の実施に適した金具は、その装着用平板（１０）の両端部に折り曲げ部分有するという構造上の特徴を加えた。【選択図】    図２
2005028070.tif 000002
【特許請求の範囲】
【請求項１】
サッシ上枠（１）に、連続して長さ方向に直交する二つの平板部分からなる断面Ｌ字型棒状体金具（４）を、その直交する二つの平板部分のうちの−つの平根部分（以下、「装着用平板」という）（１０，１６，２２）が当該上枠（１）の前面側部（３）に対し平行に位置し、かつ当該サッシ上枠前面側部との間に厚さ略１ｍｍ乃至２ｍｍ程度の金属板を挿入した場合当該金属板が装着用平板（１０，１６，２２）及びサッシ上枠前面側部（３）の双方に軽く接触する程度の空隙（７）を形成する状態で、他の一つの平板部分（以下、「固定用平板」という）（１１，１７，２３）を当該サッシ上枠の天板部分にネジ（８もしくは接着剤（９）により接触固定せしめ、当該形成された空隙部分（７）にすだれ吊り下げ具（２）の基端部にあり略Ｕ字型をした挟持用装着部分の挟持用平板（５）を挿入し、当該挟持用平板と当該装着部分にある挟持用ネジ（６）を用いて金具（４）の装着用平板（１０，１６，２２）を挟持することによりすだれ吊り下げ具（２）を金具（４）に装着せしめることを特徴とするすだれ吊り下げ具を間接的にサッシに取り付ける方法。
【請求項２】
連続して長さ方向に直交する二つの平板部分（１０、１１）からなる金属製の断面Ｌ字型棒状体の長軸方向に対し直角方向に切断面を有し、その直交する二つの平板部分のうちの一つの平板部分（装着用平板）（１０）がその両端部において、その長軸に沿った外縁部の両末端先端部分を、これら先端をそれぞれ三角形状の頂点とし当該外縁部及び切断面部を三角形状の二辺とする三角形状を形成させつつ、当該装着用平板（１０）に対し、ほぼ垂直の位置（１３）、若しくは垂直位置を越えた鋭角の位置（１４）、若しくは平行になる位置（１５）まで当該棒状体の入隅方向に折り曲げた構造を有し、他の一つの平板部分（固定用平板）（１１）はそのほぼ中央部分にネジ固定用の孔部（１２）を有し若しくは有さない構造からなる、請求項１記載のすだれ吊り下げ具をサッシに間接的に取り付けるための金具。
【請求項３】
連続して長さ方向に直交する二つの平板部分（１６、１７）からなる金属製の断面Ｌ字型棒状体の長軸方向に対し直角方向に切断面を有し、その直交する二つの平板部分のうちの一つの平板部分（装着用平板）（１６）がその両端部において、長軸に沿った外縁部を含む一部を当該装着用平板（１６）の表面における長軸方向に対して直角方向の折れ線を軸として当該棒状体の内側方向に装着用平板（１６）に対し垂直の位置（１９）、若しくは垂直位置を越えて鋭角の位置（２０）、若しくは平行になる位置（２１）まで折り曲げた構造を有し、他の一つの平板部分（固定用平板）（１７）はそのほぼ中央部分にネジ固定用の孔部（１８）を有し若しくは有さない構造からなる、請求項１記載のすだれ吊り下げ具をサッシに間接的に取り付けるための金具。
【発明の詳細な説明】
【発明の詳細な説明】
【技術分野】
【０００１】  本出願は、すだれ、ブラインド等の日除け具（以下、「すだれ」という）を窓外に吊り下げる時に使用するすだれ吊り下げ具、更に詳しくは、その基端部にサッシへの取り付けのための略Ｕ字型をした挟持用平板（５）及び挟持用ネジ（６）からなる装着部分を有するすだれ吊り下げ具（２）を、サッシに取り付ける新たな方法及びそれに使用する金具に関するものである。
【背景技術】
【０００２】  すだれは太陽光の遮光やプライバシー保護の観点から有用である。しかし、近時の住宅等の建築においては窓枠にアルミサッシが多用され、また窓周辺部分も新建材が使用されるなど、すだれを取り付ける手掛かりになる場所が得難いという問題がある。このような状況下、すだれを窓に取り付ける方法として、例えば実開昭５９−１３７１８４号、特開２００２−２０９７１７号、或いは特開２００２−３１５６６８号等において提案されているすだれ吊り下げ具、即ちその基端部に略Ｕ字型をした挟持用装着部分を有するすだれ吊り下げ具（２）を用いて図３に示すように当該装着部分にある挟持用平板（５）及び挟持用ネジ（６）を用いてサッシ上枠（１）の前面側部（３）を直接挟持してすだれ吊り下げ具をサッシに装着する方法が取られている。
【発明が解決しようとする課題】
【０００３】  上記従来方法によるすだれ吊り下げ具のサッシへの直接取り付けは、操作が簡単でしかも着脱が自在であるという利点がある。しかし、この方法による場合は図３から明らかなように、その挟持用平板（５）がサッシ上枠の前面側部（３）の内側にくるため、サッシに雨戸が組み込まれている構造の場合雨戸上端部と当該挟持用平板（５）との間に雨戸の滑りに必要な隙間がない場合当該挟持用平板が障害になり、雨戸の引き出しや収納（以下、「開閉」という）ができないか、無理に開閉しようとすると雨戸がサッシ上枠内に挟み込まれて動かなくなるという事態が発生する。このため、すだれ吊り下げ具の装着を諦めるかすだれ吊り下げ具を装着した時は雨戸の開閉をしないことにするということが必要になる。本発明はこの課題を解決するための方法及びその方法の実施に適した金具を提供するものである。
【課題を解決するための手段】
【０００４】  本出願に係るすだれ吊り下げ具の取り付け方法は、上記従来方法のようにすだれ吊り下げ具をその挟持用装着部分を用いてサッシ上枠の前面側部分を直接挟持するという方法をとるのではなく、まずサッシ上枠（１）にすだれ吊り下げ具を装着するための金具（４）を取り付け、次にその金具にすだれ吊り下げ具（２）を取り付けるという方法をとることにより課題の解決をはかるものである。
【０００５】  又、そのために使用する金具は取り付けが大がかりなものでなく容易且つ確実であり、取り付け後は日常の動作操作の障害にならないこと、美観上問題にならないことなどが必要であり、これらは当該金具の構造上に特徴を加えることにより解決した。
【発明を実施するための最良の形態】
【０００６】  本出願に係る方法によりすだれ吊り下げ具をサッシ上枠へ取り付ける方法は、図２、図１に示すように、図５、図６又は図７に示すような連続して長さ方向に直交する二つの平板部分（固定用平板及び装着用平板）（（１０、１１）、（１６、１７）、（２２、２３））からなる断面Ｌ字型棒状体金具（４）を、その装着用平板（１０、１６、２２）がサッシ上枠（１）の前面側部（３）に対し平行に位置し、かつ当該前面側部（３）との間に厚さ略１ｍｍ乃至２ｍｍ程度の金属板を挿入した場合当該金属板が装着用平板（１０、１６、２２）及び前面側部（３）の双方に軽く接触する程度の空隙（７）を形成せしめた状態で、その固定用平板（１１、１７、２３）を当該上枠の天板部分にネジ（８）若しくは接着剤（７）を用いて接触固定することにより当該金具（４）をサッシ上枠（１）に固定する。次いで、この形成された空隙部分（７）に、すだれ吊り下げ具（２）の基端部にある挟持用装着部分の挟持用平板（５）を挿入し、当該挟持用平板（５）と挟持用ネジ（６）を用いて金具（４）の装着用平板（１０、１６、２２）を挟持せしめすだれ吊り下げ具を金具（４）に装着しすだれ吊り下げ具を間接的にサッシに取り付けることを特徴とする。【０００７】  ここで、金具（４）の装着用平板（１０、１６、２２）とサッシ上枠前面側部（３）の間に形成される空隙（７）は、挿入するすだれ吊り下げ具の挟持用平板（５）が当該隙間を形成している装着用平板（１０、１６、２２）及びサッシ上枠前面側部（３）の双方に軽く接触する程度の間隔であることが重要である。それは、挿入する挟持用平板（５）がこれら双方に軽く接触していることにより、すだれを吊り下げた場合にかかる荷重トルクをこれら双方に分散し、金具（４）およびサッシ上枠前面側部（３）のサッシ内側への変形力を吸収し、又、金具の装着用平板（１０、１６、２２）及びサッシ上枠前面側部（３）で当該挟持用平板（５）を挟み込むことによりすだれ吊り下げ具の装着安定性を増大させるためである。この空隙（７）を上記のように双方に軽く接触する間隔より広くしてすだれ吊り下げ具を金具に装着した場合、上記変形力の吸収や装着安定性の効果は期待できずすだれ吊り下げ具の装着は不安定になり金具やサッシ上枠前方側部の変形の原因につながる。【０００８】  本出願に係る方法によりすだれ吊り下げ具を間接的にサッシに取り付ける場合、その使用する金具（４）が、図７に示すような長さ方向に連続して直交する二つの平板部分（装着用平板及び固定用平板）（２２、２３）からなる断面Ｌ字型棒状体であるが、装着用平板（２２）が全く平板部分のみからなるものであっても、図２、図１と同様にすだれ吊り下げ具を間接的にサッシに取り付けることは可能である。しかし、本出願に係るすだれ吊り下げ具の取り付け方法は、上記の通り金具（４）を、すだれ吊り下げ具の挟持用平板（５）が金具（４）の装着用平板（２２）及びサッシ上枠の前面側部（３）との双方に軽く接触する程度の間隔を設けて取り付ける必要があり、このため図７に示すような金具を使用した場合、当該所要の間隔を目視判断や手加減により取り付けるか、又は取り除き可能な適当厚さの補助平板を仮に挟み込み金具をサッシ上枠に取り付けた後この補助平板を取り除き当該間隔を確保する必要がある。【０００９】  しかし、目視判断や手加減では正確な空隙は得られないし、取り付け作業中当該間隔を一定に保持していることも容易でない。一方、補助平板を仮に使用する方法では作業としては煩雑になる。そこで、本出願においてかかる問題を解決して本出願の取り付け方法を実施するに適した金具を提供する。【００１０】  本出願に係る金具は、図５に示すように、長さ方向に連続して直交する二つの平板部分（装着用平板及び固定用平板）（１０、１１）からなる断面Ｌ字型棒状体の長軸方向に対し直角方向に切断面を有し、その装着用平板（１０）がその両端部において長軸に沿った外縁部の両末端先端部分を、これら先端をそれぞれ三角形状の頂点とし当該外縁部及び切断面を三角形状の二辺とする三角形状を形成させつつ、当該装着用平板（１０）に対しほぼ垂直になるような位置（１３）、若しくは垂直を越えて鋭角になる位置（１４）、若しくはさらに平行になる位置（１５）まで当該棒状体の入隅方向に折り曲げた構造を有し、その固定用平板（１１）はそのほぼ中央部分にネジ固定用の孔部（１２）を有するか若しくは有さない構造からなるものである。【００１１】  本出願に係る金具（図５（ａ））を使用して、すだれ吊り下げ具を間接的にサッシに取り付ける操作を更に具体的に説明すれば次のようになる。図２、図１において、すだれ吊りげ具を取り付けるべき位置のサッシ上枠天板部分にネジ固定用の孔部を穿ち、当該サッシ上枠天板部分に当該金具の固定用平板（１１）を金具の入隅とサッシ上枠の出隅とが重なるような位置状態でサッシ上枠天板部分に重ね、金具の装着用平板（１０）の両端にある三角形状の折り曲げ部分（１３）を当該サッシ上枠前面側部（３）を軽く押し当てるように保持し、ネジ用孔部（１２）を利用して当該金具をサッシ上枠に固定する。斯くして、サッシ上枠前面側部（３）と当該金具の装着用平板（１０）の間に正確に空隙（７）が確保される。次にこの空隙にすだれ吊り下げ具（２）の基端部の挟持用平板（５）を挿入し、これと挟持用ネジ（６）を用いて金具の装着用平板（１０）を挟持することによりすだれ吊り下げ具をサッシに間接的に装着することができる。【００１２】  当該金具を用いてサッシ上枠天板部分にネジ固定する場合、サッシ上枠天板部分の下方から頭部皿型ネジを使用し天板上部でナット固定すれば、通常雨戸の上端部分とサッシ上枠天板部分との間には十分な空間があるため当該ネジが雨戸の開閉の障害になることはない。【００１３】  又サッシ上枠天板部分上面に平滑且つ清潔な表面が確保できる場合、図４に示すようにネジ固定方式に代えて接着剤により当該金具をサッシ上枠天板部分に固定することもできる。この場合当該金具は固定用平板（１１）にネジ用孔部（１２）のある金具を使用してもよいしネジ用孔部のない金具を使用してもよい。使用する接着剤としては、二液型エポキシ系接着剤若しくは変成シリコン系接着剤などの金属用接着剤が適当である。【００１４】  当該金具の素材は加工性、強靭性、耐候性の点から、アルミニウム、鉄、ステンレス鋼等が適している。またその平板部分（１０、１１）の厚さは、実用上１ｍｍ乃至２ｍｍ程度が適当である。また当該金具の長さはすだれ吊り下げ具の挟持用平板（５）の幅によって決まるが、装着用平板（１０）の両端に折り曲げ部分があり、又、通常市販されているすだれ吊り下げ具の挟持用平板（５）の幅が６０ｍｍ程度であるのでこれを空隙（７）に挿入することを考慮すれば７０ｍｍ乃至９０ｍｍ程度が適当である。又、折り曲げる三角形状部分の大きさ及び折り曲げる角度は、すだれ吊り下げ具の挟持用平板（５）の厚さによって決まるが、通常すだれ吊り下げ具の挟持用平板（５）は１ｍｍ乃至２ｍｍ程度の金属が使用されているので、上記空隙（７）が２ｍｍ乃至３ｍｍ程度の間隔が確保できるよう三角形状部分の大きさ及び折り曲げ角度を選択する。【００１５】  本出願に係る金具のいま一つの形態は、図６に示すように、長さ方向に連続して直交する二つの平板部分（装着用平板及び固定用平板）（１６、１７）からなる金属製の断面Ｌ字型棒状体の長軸方向に対し直角方向に切断面を有し、その装着用平板（１６）の両端部において、その長軸に沿った外縁部を含む一部を当該装着用平板（１６）の表面における長軸方向に対して直角方向の折れ線を軸として棒状体の内側方向に装着用平板（１６）に対し垂直の位置（１９）、若しくは垂直の位置を越えて鋭角の位置（２０）、若しくはさらに平行の位置（２１）になるまで折り曲げた構造を有し、その固定用平板（１７）はそのほぼ中央部分にネジ固定用の孔部（１８）を有するか若しくは有さない構造からなるものである。本出願に係るこの形態の金具を使用してすだれ吊り下げ具をサッシ上枠へ取り付ける態様及び当該金具の素材、寸法、平板部分の折り曲げ程度等は、上記折り曲げ部分が三角形状である金具（図５）の場合と同様である。
【発明の効果】
【００１６】  本出願に係るすだれ吊り下げ具の取り付け方法及びそれに使用する金具についての効果は、上記説明において一部を述べたが次ぎのようなものである。
【００１７】  本出願に係るすだれ吊り下げ具の取り付け方法を実施することにより、市販のその基端部に略Ｕ字型の挟持用装着部分を有するすだれ吊り下げ具をそのまま活用し、従来すだれを取り付けることができなかったサッシにもすだれ吊り下げ具を着脱自在に取り付けることが可能になり、又、雨戸の開閉に際しすだれ取り付け具の装着有無を考慮する必要がなくなる。
【００１８】  本出願にかかるすだれ吊り下げ具の取り付け方法の実施に際し、使用する金具がその装着用平板の両端に折り曲げ部分を持たない例えば図７の金具は、当該金具のサッシへの取り付けに際し所要の空隙（７）を確保するため目視判断や手加減によるか、若しくは補助平板の仮の挿入などが必要になる。しかし、本出願に係る金具を使用することにより装着用平板両端の折り曲げ部分が空隙（７）を正確に確保するため、上記の目視や補助平板の挿入などという特別の操作を必要とすることなく当該金具を容易且つ正確にサッシ上枠に固定することができる。これは、当該金具を取り付ける作業環境を考慮した場合、作業性及び安全性の面から顕著な効果といえる。
【００１９】  本出願に係るすだれ吊り下げ方法を実施した場合、すだれ吊り下げ具にかかる荷重がサッシ上枠前面側部（３）と金具の装着用平板（１０、１６、２２）に分散される結果、サッシ上枠の変形及びそれに伴う雨戸開閉時の障害の除去にもつながる。
【００２０】  本出願の係る金具を使用した場合、当該金具の固定用平板（１１、１７）はサッシ上枠（１）天板部分においてネジ若しくは接着剤で接触固定され、一方空隙（７）を形成する装着用平板（１０、１６）はその両端の折り曲げ部分がサッシ上枠前面側部（３）に接触している結果、当該金具は三支点固定が実現され、金具の固定更にはすだれ吊り下げ具の装着安定性は極めて高くなる。
【００２１】  本出願に係る金具を使用した場合、当該金具は容積が小さくサッシと一体化しているため、窓回りの種々の操作や動作の障害になることはないし、又美観上殆ど問題となることはない。
【００２２】  すだれがより多く使用されることにより、太陽熱の遮断という一次的効果に加え、それに伴う冷房エネルギーの節減という二次的効果がより多く期待できる。
【図面の簡単な説明】
【図１】  本出願にかかる方法によりすだれ吊り下げ具をサッシ上枠に取り付けた際の側面図である。
【図２】  サッシ上枠に本出願に係る金具をサッシに取り付けた際の側面図である。
【図３】  従来方法によりすだれ吊り下げ具をサッシ上枠に取り付けた際の側面図である。
【図４】  本出願に係る金具を接着剤を使用してサッシ上枠に取り付けその金具にすだれ吊り下げ具を装着した際の斜視図である。
【図５】  本出願に係る金具の入隅に向かっての斜視図である。
【図６】  本出願に係る他の形態の金具の入隅に向かっての斜視図である。
【図７】  取り付け金具の装着用平板の両端に折り曲げ部分のないものの入隅に向かっての斜視図である。
【符号の説明】
１  サッシ上枠
２  すだれ吊り下げ具
３  前面側部
４  金具
５  挟持用平板
６  挟持用ネジ
７  空隙
８  固定用ネジ
９  接着剤
１０、１６、２２  装着用平板
１１、１７、２３  固定用平板
１２、１８  ２４  ネジ用孔部
ｌ３、１９  折り曲げ部分（垂直）
１４、２０  折り曲げ部分（鋭角）
１５、２１  折り曲げ部分（平行）
【図１】
2005028070.tif 000003
【図２】
2005028070.tif 000004
【図３】
2005028070.tif 000005
【図４】
2005028070.tif 000006
【図５】
2005028070.tif 000007
【図６】
2005028070.tif 000008
【図７】
2005028070.tif 000009